(57)【要約】　　　（修正有）【課題】施工タイミングの自由度を広げ、無理・無駄のない施工スケジュールを可能にするとともに、通常の建設機械での施工が行え、生産性、安全性、品質の向上を実現する構造物の建設方法を提供することにある。【解決手段】構造物のブロックを所定の構造物のブロックｋ１、ｋ２のための構造物の所定の支持基礎ｓｔ１ａ、ｓｔ１ｂ、ｓｔ１ｃ、ｓｔ２ａ、ｓｔ２ｂ、ｓｔ２ｃに仮固定してブロックモジュールを組み立てる工程と、組み立てられたブロックモジュールを固定されるべき支持基礎ｓｔ１１ａ、ｓｔ１１ｂ、ｓｔ１１ｃ、ｓｔ１２ａ、ｓｔ１２ｂ、ｓｔ１２ｃ上まで移動する移動工程と、移動されたブロックモジュールを当該支持基礎に固定する固定工程と、所定の構造物のブロックｋ１、ｋ２を所定の支持基礎ｓｔ１ａ、ｓｔ１ｂ、ｓｔ１ｃ、ｓｔ２ａ、ｓｔ２ｂ、ｓｔ２ｃ上で所定のブロックモジュールに組み立てる組み立て工程とを含む。【選択図】　図２
2004076264.tif 000002
【特許請求の範囲】
【請求項１】
構造物の一部または全体が類似の構造物のブロックの集合体で構成される構造物の建設方法であって、
構造物のブロックを所定の構造物のブロックのための前記構造物の所定の支持基礎に仮固定してブロックモジュールを組み立てる工程と、
前記組み立てられたブロックモジュールを固定されるべき支持基礎上まで移動する移動工程と、
前記移動されたブロックモジュールを当該支持基礎に固定する固定工程と、
前記所定の構造物のブロックを前記所定の支持基礎上で所定のブロックモジュールに組み立てる組み立て工程と
を含むことを特徴とする構造物の建設方法。
【請求項２】
請求項１に記載の構造物の建設方法において、
さらに、
前記固定工程後、前記固定されたブロックモジュールを、次前に固定された隣接するブロックモジュールが有る場合に該ブロックモジュールと接続し一体化する工程と、
前記組み立て工程後、前記所定のブロックモジュールを次前に固定され隣接するブロックモジュールと接続し一体化する工程と
を含むことを特徴とする構造物の建設方法。
【請求項３】
前記所定の支持基礎上および前記所定の支持基礎間を連結する基礎連結梁上および前記所定の支持基礎と前記支持基礎間を連結する基礎連結梁上および前記支持基礎上および前記支持基礎間を連結する基礎連結梁上に延在するレールを設け、
前記移動工程において、前記組み立てられたブロックモジュールを、該ブロックモジュールに設置されたローラーを前記レール上で転動させることにより移動させる
ことを特徴とする請求項１または請求項２に記載の構造物の建設方法。
【請求項４】
前記所定の支持基礎上および前記所定の支持基礎間を連結する基礎連結梁上および前記所定の支持基礎と前記支持基礎間を連結する基礎連結梁上および前記支持基礎上および前記支持基礎間を連結する基礎連結梁上に延在し、上部にテフロン（登録商標）帯を有するレールを設け、
前記移動工程において、前記組み立てられたブロックモジュールを、該ブロックモジュールに設置されたテフロン（登録商標）板を前記レールのテフロン（登録商標）帯上で滑動させることにより移動させる
ことを特徴とする請求項１または請求項２に記載の構造物の建設方法。
【請求項５】
構造物の一部または全体が類似の構造物のブロックの集合体で構成される構造物の建設方法であって、
構造物のブロックを所定の構造物のブロックのための前記構造物の所定の支持基礎上に仮固定してブロックモジュールを組み立てる工程と、
前記組み立てられたブロックモジュールを前記所定の支持基礎に隣接する支持基礎上まで移動する第１移動工程と、
前記移動されたブロックモジュールに隣接して配置されるブロックモジュールを、構造物のブロックを前記所定の支持基礎上に仮固定して組み立てる工程と、
前記組み立てられたブロックモジュールを前記移動されたブロックモジュールと接続し一体化する工程と、
既接続された前記ブロックモジュールを前記所定の支持基礎に隣接する支持基礎上まで移動する第２移動工程と、
前記所定の支持基礎上から移動されたブロックモジュールに隣接して配置されるブロックモジュールを、構造物のブロックを前記所定の支持基礎上に仮固定して組み立てる組み立て工程と、
前記組み立てられたブロックモジュールを前記所定の支持基礎上から移動されたブロックモジュールと接続し一体化する接続工程と、
前記第２移動工程と前記組み立て工程と前記接続工程とを繰り返す工程と、
既接続された前記ブロックモジュールを前記所定の支持基礎に隣接する支持基礎上まで移動後、前記既接続されたブロックモジュールの各ブロックモジュールをそれぞれ対応する支持基礎に固定する工程と、
前記所定の構造物のブロックを前記所定の支持基礎上で所定のブロックモジュールに組み立てる工程と、
前記組み立てられた所定のブロックモジュールを隣接するブロックモジュールと接続し一体化する工程と
を含むことを特徴とする構造物の建設方法。
【請求項６】
前記所定の支持基礎上および前記所定の支持基礎間を連結する基礎連結梁上および前記所定の支持基礎と前記支持基礎間を連結する基礎連結梁上および前記支持基礎上および前記支持基礎間を連結する基礎連結梁上に延在するレールを設け、
前記第１移動工程において、前記組み立てられたブロックモジュールを、該ブロックモジュールに設置されたローラーを前記レール上で転動させることにより移動させ、
前記第２移動工程において、前記既接続されたブロックモジュールを、各ブロックモジュールに設置されたローラーを前記レール上で転動させることにより移動させる
ことを特徴とする請求項５に記載の構造物の建設方法。
【請求項７】
前記所定の支持基礎上および前記所定の支持基礎間を連結する基礎連結梁上および前記所定の支持基礎と前記支持基礎間を連結する基礎連結梁上および前記支持基礎上および前記支持基礎間を連結する基礎連結梁上に延在し、上部にテフロン（登録商標）帯を有するレールを設け、
前記第１移動工程において、前記組み立てられたブロックモジュールを、該ブロックモジュールに設置されたテフロン（登録商標）板を前記レールのテフロン（登録商標）帯上で滑動させることにより移動させ、
前記第２移動工程において、前記既接続されたブロックモジュールを、各ブロックモジュールに設置されたテフロン（登録商標）板を前記レールのテフロン（登録商標）帯上で滑動させることにより移動させる
ことを特徴とする請求項５に記載の構造物の建設方法。
【請求項８】
前記構造物のブロックは、同一若しくは近似の構造体であることを特徴とする請求項１から請求項７のうちの何れか一項に記載の構造物の建設方法。
【請求項９】
前記所定の支持基礎と前記支持基礎とは、同一形状であることを特徴とする請求項１から請求項８のうちの何れか一項に記載の構造物の建設方法。
【発明の詳細な説明】
【０００１】
【発明の属する技術分野】
本発明は、構造物の建設方法に係り、より詳細には、周辺構造物や周辺作業からの制約により現地組み立てに制約が多い場合に特に有効な構造物の建設方法に関する。
【０００２】
【従来の技術】
多くのプラントにおいて、中央部に背骨のように配置されるパイプラックがクリティカルパスを構成し、ＥＰＣ（Ｅｎｇｉｎｅｅｒｉｎｇ　Ｐｒｏｃｕｒｅｍｅｎｔ　Ｃｏｎｓｔｒｕｃｔｉｏｎ）全体スケジュールの緩和を阻止している。
【０００３】
従来の重量構造物の工法は、加工済みの構造物素材を支持基礎上で組み上げながら、順次、クレーン、素材を輸送するトレーラーなどの建設機械や、組み立て工事用の仮設足場等を位置を変えながら全体を完成させ、続いて、順次、配管等の付属物を組み込んでいくという過程を有している。
【０００４】
該重量構造物が、例えば、プラントの中央部に位置する場合は周辺構造物の施工と重複しないように建設スケジュールを先行させるか、若しくは、建設スケジュールの調整が困難な場合は大型のクレーンなどを用いて周辺作業と重複して周辺作業の頭越しに施工を行う。
【０００５】
これ以外の工法としては、全体の構造物をモジュールに分割して建設するモジュール化の工法がある。
【０００６】
該工法は、一般的に、全体の構造物をブロックに分割して何れかの工場で構造物ならびに付属物を組み立て、モジュールを完成させる。
【０００７】
そして、モジュールを海上または陸上輸送し、現地の支持基礎上に順次据え付け、短期間で全体を完成する。
【０００８】
ここで、モジュールの輸送と据え付けには大きな重量物が取り扱える超大型の建設機械が必要で、また、特殊な輸送船か輸送機械が必要である。
【０００９】
しかし、該工法によれば、工場での組み立てとなることから生産性や品質が高く、また、建設現場における作業が大幅に縮小されると共に据え付け工期も大幅に短縮され、組み立て期間の短縮が実現する。
【００１０】
【発明が解決しようとする課題】
ところで、従来の重量構造物の工法における先行施工の場合、しばしば設計や資材の調達スケジュールに無理がかかり無駄も発生し、施工において混乱の原因となる。
【００１１】
また、周辺作業の頭越しの施工とならざるを得ない場合、大型のクレーンが必要になると共に、生産性や安全性が極度に低下する。
【００１２】
このような先行施工、頭越しの施工の何れの場合も、全体を完成させるためには場所を変えながらの施工となり、アクセスの調整や作業環境の整備並びに仮設物の移動が必要である。
【００１３】
よって、常に新しい作業条件などに影響されて生産性は低くなると共に、スケジュールも不確定になるという問題がある。
【００１４】
一方、モジュール化の工法は、大型建設機械の作業において、多くの場合に周辺構造物や作業が障害となることから先行施工とならざるを得ず、それらにより、設計や調達スケジュールに無理がかかるという問題がある。
【００１５】
反対に、設計や調達スケジュールが追随できず先行施工が不可能な場合、干渉し合う周辺作業を待たせることになり全体工事工程に深刻な影響を与える不都合がある。
【００１６】
また、超大型のクレーンや特殊な輸送船か輸送機械が必要になることから、これらのレンタルコストも大きなものになり、構造物の輸送のコストが大きくなる。
【００１７】
更に、かなり早い時期からこれらを予約等をして確保しなくてはならず、厳しいスケジュールの制約が設計、調達へ大きな圧力となる。
【００１８】
加えて、構造物は輸送に耐えるように強度を上げる設計にするか相当の補強を取り付ける必要があり、無駄が発生する。
【００１９】
このように、両工法とも、ＥＰＣスケジュールの緩和に大きく寄与することは出来ず、ＥＰＣのどこかに無理を抱え、無駄を発生させている。
【００２０】
本発明は上記実状に鑑み、施工タイミングの自由度を広げ、無理・無駄のない施工スケジュールを可能にするとともに、通常の建設機械での施工が行え、生産性、安全性、品質の向上を実現する構造物の建設方法の提供を目的とする。
【００２１】
【課題を解決するための手段】
上記目的を達成するべく、本発明の請求項１に関わる構造物の建設方法は、構造物の一部または全体が類似の構造物のブロックの集合体で構成される構造物の建設方法であって、構造物のブロックを所定の構造物のブロックのための構造物の所定の支持基礎に仮固定してブロックモジュールを組み立てる工程と、組み立てられたブロックモジュールを固定されるべき支持基礎上まで移動する移動工程と、移動されたブロックモジュールを当該支持基礎に固定する固定工程と、所定の構造物のブロックを所定の支持基礎上で所定のブロックモジュールに組み立てる組み立て工程とを含むことを特徴としている。
【００２２】
本発明の請求項２に関わる構造物の建設方法は、請求項１に記載の構造物の建設方法において、さらに、固定工程後、固定されたブロックモジュールを、次前に固定された隣接するブロックモジュールが有る場合に該ブロックモジュールと接続し一体化する工程と、組み立て工程後、所定のブロックモジュールを次前に固定され隣接するブロックモジュールと接続し一体化する工程とを含むことを特徴としている。
【００２３】
本発明の請求項３に関わる構造物の建設方法は、請求項１または請求項２に記載の構造物の建設方法において、所定の支持基礎上および前記所定の支持基礎間を連結する基礎連結梁上および所定の支持基礎と支持基礎間を連結する基礎連結梁上および支持基礎上および支持基礎間を連結する基礎連結梁上に延在するレールを設け、移動工程において、組み立てられたブロックモジュールを、該ブロックモジュールに設置されたローラーをレール上で転動させることにより移動させることを特徴としている。
【００２４】
本発明の請求項４に関わる構造物の建設方法は、請求項１または請求項２に記載の構造物の建設方法において、所定の支持基礎上および前記所定の支持基礎間を連結する基礎連結梁上および所定の支持基礎と支持基礎間を連結する基礎連結梁上および支持基礎上および支持基礎間を連結する基礎連結梁上に延在し、上部にテフロン（登録商標）帯を有するレールを設け、移動工程において、組み立てられたブロックモジュールを、該ブロックモジュールに設置されたテフロン（登録商標）板をレールのテフロン（登録商標）帯上で滑動させることにより移動させることを特徴としている。
【００２５】
本発明の請求項５に関わる構造物の建設方法は、構造物の一部または全体が類似の構造物のブロックの集合体で構成される構造物の建設方法であって、構造物のブロックを所定の構造物のブロックのための構造物の所定の支持基礎上に仮固定してブロックモジュールを組み立てる工程と、組み立てられたブロックモジュールを所定の支持基礎に隣接する支持基礎上まで移動する第１移動工程と、移動されたブロックモジュールに隣接して配置されるブロックモジュールを、構造物のブロックを所定の支持基礎上に仮固定して組み立てる工程と、組み立てられたブロックモジュールを移動されたブロックモジュールと接続し一体化する工程と、既接続されたブロックモジュールを所定の支持基礎に隣接する支持基礎上まで移動する第２移動工程と、所定の支持基礎上から移動されたブロックモジュールに隣接して配置されるブロックモジュールを、構造物のブロックを所定の支持基礎上に仮固定して組み立てる組み立て工程と、組み立てられたブロックモジュールを所定の支持基礎上から移動されたブロックモジュールと接続し一体化する接続工程と、第２移動工程と組み立て工程と接続工程とを繰り返す工程と、既接続されたブロックモジュールを所定の支持基礎に隣接する支持基礎上まで移動後、既接続されたブロックモジュールの各ブロックモジュールをそれぞれ対応する支持基礎に固定する工程と、所定の構造物のブロックを所定の支持基礎上で所定のブロックモジュールに組み立てる工程と、組み立てられた所定のブロックモジュールを隣接するブロックモジュールと接続し一体化する工程とを含むことを特徴としている。
【００２６】
本発明の請求項６に関わる構造物の建設方法は、請求項５に記載の構造物の建設方法において、所定の支持基礎上および前記所定の支持基礎間を連結する基礎連結梁上および所定の支持基礎と支持基礎間を連結する基礎連結梁上および支持基礎上および支持基礎間を連結する基礎連結梁上に延在するレールを設け、第１移動工程において、組み立てられたブロックモジュールを、該ブロックモジュールに設置されたローラーをレール上で転動させることにより移動させ、第２移動工程において、既接続されたブロックモジュールを、各ブロックモジュールに設置されたローラーをレール上で転動させることにより移動させることを特徴としている。
【００２７】
本発明の請求項７に関わる構造物の建設方法は、請求項５に記載の構造物の建設方法において、所定の支持基礎上および前記所定の支持基礎間を連結する基礎連結梁上および所定の支持基礎と支持基礎間を連結する基礎連結梁上および支持基礎上および支持基礎間を連結する基礎連結梁上に延在し、上部にテフロン（登録商標）帯を有するレールを設け、第１移動工程において、組み立てられたブロックモジュールを、該ブロックモジュールに設置されたテフロン（登録商標）板をレールのテフロン（登録商標）帯上で滑動させることにより移動させ、第２移動工程において、既接続されたブロックモジュールを、各ブロックモジュールに設置されたテフロン（登録商標）板をレールのテフロン（登録商標）帯上で滑動させることにより移動させることを特徴としている。
【００２８】
本発明の請求項８に関わる構造物の建設方法は、請求項１から請求項７のうちの何れか一項に記載の構造物の建設方法において、ブロックモジュールは、同一若しくは近似の構造体であることを特徴としている。
【００２９】
本発明の請求項９に関わる構造物の建設方法は、請求項１から請求項８のうちの何れか一項に記載の構造物の建設方法において、所定の支持基礎と支持基礎とは、同一形状であることを特徴としている。
【００３０】
【発明の実施の形態】
以下、実施例を示す図面に基づいて、本発明を詳細に説明する。
【００３１】
本発明に関わる実施例の構造物ｋは、プラントの中央部に配置されるパイプラックであり、該構造物ｋを上方から見た完成後の外観図を図１（ａ）に示す。
【００３２】
構造物ｋは、各ブロックｋ１、ｋ２、…、ｋ２５に分割されて設計されており、ブロックｋ１、ｋ２、…、ｋ２５はそれぞれ所定の支持基礎上に建設されている。
【００３３】
各ブロックは、隣接するブロックとともに一つのブロックモジュールに予め組み立てられ、固定されるべき支持基礎上まで移動され該支持基礎に固定されている。
【００３４】
例えば、ブロックｋ１１とブロックｋ１２とを一つのブロックモジュールに組み立てる説明であるが、詳細手順をブロックｋ１１を例にとって示す。
【００３５】
図２（ａ）（図１（ａ）の矢印Ａ方向から見た正面図）に示すように、ブロックｋ１１がブロックｋ１用の高さの低い支持基礎ｓｔ１ａ、ｓｔ１ｂ、ｓｔ１ｃに仮固定されてブロックｋ１２とともに予めブロックモジュールに組立てられ、組立て後の移動に用いるローラーｒ１１、ｒ１１、ｒ１１が設置されている。
【００３６】
図２（ｂ）（図１（ａ）の矢印Ａ方向から見た正面図）に示すように、移動後はローラーｒ１１、ｒ１１、ｒ１１を外し、当該支持基礎ｓｔ１１ａ、ｓｔ１１ｂ、ｓｔ１１ｃに固定されている。
【００３７】
または、図３　（ａ）（図１（ａ）の矢印Ａ方向から見た正面図）に示すように、高さの高い支持基礎ｓｋ１１ａ、ｓｋ１１ｂ、ｓｋ１１ｃにおいても、同様の手順で組み立て移動して、図３（ｂ）（図１（ａ）の矢印Ａ方向から見た正面図）に示すように、当該支持基礎ｓｋ１１ａ、ｓｋ１１ｂ、ｓｋ１１ｃに固定されている。
【００３８】
このように、ブロックｋ１１とブロックｋ１２とは所定高さの支持基礎に固定されているものであるが、説明に際しては図２に示す高さの低い支持基礎が使用されているものとする。
【００３９】
ここで、その他のブロック（請求項１の所定の構造物のブロック）ｋ１、（請求項１の所定の構造物のブロック）ｋ２、ブロックｋ３、ｋ４、ブロックｋ５、ｋ６、…、ブロック（請求項１の所定の構造物のブロック）ｋ２４、（請求項１の所定の構造物のブロック）ｋ２５は、ブロックｋ１１、ｋ１２と同様な構造である。
【００４０】
そして、これら予め組み立てられたブロックモジュールが、それぞれ隣接する予め組み立てられたブロックモジュールと互いに接続されることにより構成されている。
【００４１】
なお、ブロックｋ１３は、ブロックｋ１１、ｋ１２およびブロックｋ１４、ｋ１５の移動後に、支持基礎上に固定後の接続部として、現地において組み立てられる。
【００４２】
ここで、各ブロックモジュールは、所定の同一高さの支持基礎上に固定されている。
【００４３】
すなわち、ブロックモジュール列であるブロックｋ１、ｋ２、…、ｋ２５はそれぞれ同一高さの支持基礎上に固定されている。
【００４４】
なお、支持基礎はＰＣ（Ｐｒｅｓｔｒｅｓｓｅｄ　Ｃｏｎｃｒｅｔｅ）またはＲＣ（Ｒｅｉｎｆｏｒｃｅｄ　Ｃｏｎｃｒｅｔｅ）等から成る支持構造体である。
【００４５】
構造物ｋにおけるブロックｋ１１は、図２に示すように、構造柱ｔ１１ａ、ｔ１１ｂ、ｔ１１ｃと梁ｙ１１ａ、ｙ１１ｂ、ｙ１１ｃとから成るパイプラック構造体になっており、該パイプラック構造体には配管ｐ等の構造内付属物が他のブロックモジュールの構造内付属物と接合され固定されている。
【００４６】
ブロックｋ１１、ブロックｋ１２以外のその他のブロックｋ１、ｋ２、ブロックｋ３、ｋ４、…、ブロックｋ２４、ｋ２５も、ブロックｋ１１、ブロックｋ１２と同様に構成されている。
【００４７】
構造物ｋの建設に際しては、図１（ｂ）の例に示すように、複数のブロックｋ１１、ｋ１２を、該ブロックが固定されるべき支持基礎に連続するブロックモジュール列の端部の支持基礎を仮基礎として利用し、ブロックモジュールに予め組み立てるとともに該ブロックモジュール内で配管等の付属物を接続する。
【００４８】
他端部の支持基礎上では、ブロックｋ１４、ｋ１５を同様にブロックモジュールに組立てている。
【００４９】
続いて、図１（ｂ）に示すように、該ブロックモジュールをウィンチ等を用いて牽引することにより、該ブロックモジュールに設置されたローラー（後述）を支持基礎上等に敷設されるローラーガイドレール（後述）上で転動させたり、または該ブロックモジュールに設置されたテフロン（登録商標）板（後述）を支持基礎上等のローラーガイドレールのテフロン（登録商標）帯上で滑動させて、該ブロックモジュールを所定の支持基礎上まで移動する。
【００５０】
そして、該ブロックモジュールを所定の支持基礎に固定した後、次前に固定された隣接するブロックモジュールとの間で構造物の梁や配管等の付属物を互いに接続する。
【００５１】
上記工程を、中央部側に配置されるブロックモジュールから始めて、端部側に配置されるブロックモジュールについて順次、繰り返した後、最終的に端部のブロックモジュールを、当該端部の支持基礎上で組立て、次前に固定された隣接するブロックモジュールとの間で構造物の梁や配管等の付属物を互いに接続し一体化する。
【００５２】
次に、構造物ｋの建設方法の第１実施例について詳細に説明する。
【００５３】
始めに、加工済み資材を通常の輸送方法で現地に搬入する。
【００５４】
現地の通常の建設機械と労働者で、通常の方法で構造物ｋを建設するものである。
【００５５】
まず、図４（ａ）　（図１（ａ）の矢印Ｂ方向から見た側面図）に示すように、アンカーナットｕｎ、ｕｎが埋め込まれた支持基礎ｓｔ１ａを、地面Ｇに設置する。なお、支持基礎ｓｔ１ａと他の支持基礎ｓｔ１ｂ、ｓｔ１ｃ、…、ｓｔ２５ａ、ｓｔ２５ｂ、ｓｔ２５ｃとは、同様な構成である。
【００５６】
なお、支持基礎（請求項１の所定の支持基礎）ｓｔ１ａ、ｓｔ１ｂ、ｓｔ１ｃはブロックｋ１のための支持基礎であり、同様に支持基礎ｓｔ２５ａ、ｓｔ２５ｂ、ｓｔ２５ｃはブロックｋ２５のための支持基礎である。
【００５７】
支持基礎ｓｔ１ａ、ｓｔ１ｂ、ｓｔ１ｃ、…、ｓｔ２５ａ、ｓｔ２５ｂ、ｓｔ２５ｃは列方向に基礎連結梁ｓｒｂで連結されており、その上にはローラーガイドレール（レール）ｒｇ１が設けられている。
【００５８】
基礎連結梁ｓｒｂは、コンクリートの基礎を打設するか、地盤を転圧して強度を確保し枕木（鋼材でもよい）を用いている。
【００５９】
まず、ブロックｋ１１とブロックｋ１２を例にとって建設手順を説明する。
【００６０】
例ではブロックｋ１１とブロックｋ１２は一体化されるが、詳細手順はブロックｋ１１を代表させて説明する。
【００６１】
図４（ｃ）　（図１（ａ）の矢印Ｂ方向から見た側面図）に示すように、ブロックｋ１１を構築する構造柱ｔ１１ａの下端部に、支持ベースプレートｔ１１ｐを固着し、図４（ｄ）ならびに（ｅ）に示すように、支持ベースプレートｔ１１ｐの下面にジャッキｔｊ１１を取り付け、さらにジャッキｔｊ１１の下方にローラーｒ１１を取り付ける。
【００６２】
そして、支持ベースプレートｔ１１ｐの下方にジャッキｔｊ１１、ローラーｒ１１が取り付けられた構造柱ｔ１１ａを、ジャッキｔｊ１１を縮めてローラーｒ１１を支持ベースプレートｔ１１ｐに近づけた状態で、図４（ｃ）に示すように、支持基礎（請求項１の所定の支持基礎）ｓｔ１ａ上に支持ベースプレートｔ１１ｐを載置して、支持ベースプレートｔ１１ｐを挿通させたアンカーボルトｕｂをアンカーナットｕｎに螺合することにより、構造柱ｔ１１ａを支持基礎ｓｔ１ａ上に仮固定する。
【００６３】
同様に、ブロックｋ１１を構築する構造柱ｔ１１ｂの下端部に、図４（ｅ）と同様に、支持ベースプレートｔ１１ｐを固着し、支持ベースプレートｔ１１ｐの下面にはジャッキｔｊ１１を取り付け、さらにジャッキｔｊ１１の下方にローラーｒ１１を取り付ける。
【００６４】
そして、支持ベースプレートｔ１１ｐの下方にジャッキｔｊ１１、ローラーｒ１１が取り付けられた構造柱ｔ１１ｂを、ジャッキｔｊ１１を縮めてローラーｒ１１を支持ベースプレートｔ１１ｐに近づけた状態で、図４（ｃ）と同様に、支持基礎（請求項１の所定の支持基礎）ｓｔ１ｂ上に支持ベースプレートｔ１１ｐを載置して、支持ベースプレートｔ１１ｐを挿通させたアンカーボルトをアンカーナットに螺合することにより、構造柱ｔ１１ｂを支持基礎ｓｔ１ｂに仮固定する。
【００６５】
同様に、ブロックモジュールｋ１１を構築する構造柱ｔ１１ｃの下端部に、支持ベースプレートｔ１１ｐを固着し、支持ベースプレートｔ１１ｐの下面にはジャッキｔｊ１１を取り付け、さらにジャッキｔｊ１１の下方にローラーｒ１１を取り付ける。
【００６６】
そして、支持ベースプレートｔ１１ｐの下方にジャッキｔｊ１１、ローラーｒ１１が取り付けられた構造柱ｔ１１ｃを、ジャッキｔｊ１１を縮めてローラーｒ１１を支持ベースプレートｔ１１ｐに近づけた状態で、図４（ｃ）と同様に、支持基礎（請求項１の所定の支持基礎）ｓｔ１ｃ上に支持ベースプレートｔ１１ｐを載置して、支持ベースプレートｔ１１ｐを挿通させたアンカーボルトをアンカーナットに螺合することにより、構造柱ｔ１１ｃを支持基礎ｓｔ１ｃに仮固定する。
【００６７】
その後、各柱と各梁を組み合わせ、ブロックｋ１１の構造体を完成させる。
【００６８】
また、図２（ａ）に示すように、構造柱ｔ１１ａと構造柱ｔ１１ｂとを仮設梁ｋ１１ａで連結し、また、構造柱ｔ１１ｂと構造柱ｔ１１ｃとを仮設梁ｋ１１ａで連結し、各構造柱間の位置を固定する。
【００６９】
ブロックｋ１２もブロックｋ１１と同様の手順で組み立てる。
【００７０】
ブロックｋ１１とブロックｋ１２の構造体が完成したら、配管や他の付属物を組込み、移動前のブロックモジュールを完成させる。
【００７１】
さらに、ブロックｋ１１、ｋ１２の移動（後述）中の変位を防止するために、ブロックｋ１１、ｋ１２の構造柱を列方向につなぐ様に所定の強度を有する仮設梁ｋ１１ｂ、ｋ１２ｂを設ける。
【００７２】
ここで、ブロックｋ１１、ｋ１２の移動（後述）は基本的に近距離の静的なものになることから、通常の定位置での組み立てに用いる仮の支持方法を多少補強したもので足りる。
【００７３】
また、構造物内の配管や他の付属物は、通常は全体構造物の中で支持、固定されるように設計されており、ブロックモジュールに分割した状態では支持、固定できないものもあるが最終的に全体構造物として接続が完了するまでは、図２（ａ）に示すように、構造物内の配管ｐや他の付属物は仮固定される。
【００７４】
このように、構造柱ｔ１１ａ、ｔ１１ｂ、ｔ１１ｃが、それぞれ支持基礎ｓｔ１ａ、ｓｔ１ｂ、ｓｔ１ｃに仮固定されている状態においてブロックｋ１１が組み上がり、同様にしてブロックｋ１２が組み上がり、ブロックｋ１１とブロックｋ１２とから成るブロックモジュール（請求項１の組み立てられたブロックモジュール、請求項２の次前に固定された隣接するブロックモジュール）が組み上がる。
【００７５】
続いて、アンカーボルトｕｂ、…を、支持基礎ｓｔ１ａ、支持基礎ｓｔ１ｂ、支持基礎ｓｔ１ｃ等におけるアンカーナットｕｎ、…から抜き、ジャッキｔｊ１１、ｔｊ１１、ｔｊ１１、ｔｊ１２、ｔｊ１２、ｔｊ１２でブロックｋ１１、ｋ１２の全体を持ち上げる。
【００７６】
そして、図４（ｄ）　（図１（ａ）の矢印Ｂ方向から見た側面図）、（ｅ）に示すように、ブロックｋ１１は、ローラーガイドレールｒｇ１上にローラーｒ１１が乗り、ローラーｒ１１の上にジャッキｔｊ１１が乗り、その上に乗って移動が可能となる。
【００７７】
そして、図１（ｂ）に示すように、ブロックｋ１１、ｋ１２における構造柱ｔ１１ａ、ｔ１１ｂ、ｔ１１ｃまたは仮設梁ｋ１１ａ等に接続されたウィンチまたはジャッキ（図示せず）によって牽引することにより、ブロックｋ１１、ｋ１２を、図４（ｄ）の矢印に示すように、ブロックｋ１１、ｋ１２が固定される支持基礎（請求項１の固定されるべき支持基礎）ｓｔ１１ａ、ｓｔ１１ｂ、ｓｔ１１ｃ、ｓｔ１２ａ、ｓｔ１２ｂ、ｓｔ１２ｃ上まで、ローラーガイドレールｒｇ１上でローラーｒ１１、ｒ１２を転動させて毎分数ｃｍ程度、ゆっくり移動させる。
【００７８】
図５（ａ）　（図１（ａ）の矢印Ｂ方向から見た側面図）に示すように、ブロックｋ１１の構造柱ｔ１１ａ、ｔ１１ｂ、ｔ１１ｃが設置位置である支持基礎ｓｔ１１ａ、ｓｔ１１ｂ、ｓｔ１１ｃ上に到達したら、図５（ｂ）　（図１（ａ）の矢印Ｂ方向から見た側面図）の矢印に示すように、構造柱ｔ１１ａ、ｔ１１ｂ、ｔ１１ｃの支持ベースプレートｔ１１ｐ、ｔ１１ｐ、ｔ１１ｐのそれぞれに設置されたジャッキｔｊ１１、ｔｊ１１、ｔｊ１１をそれぞれ緩め、ブロックｋ１１の全体を下げて、支持ベースプレートｔ１１ｐ、ｔ１１ｐ、ｔ１１ｐを支持基礎ｓｔ１１ａ、ｓｔ１１ｂ、ｓｔ１１ｃ上に降ろす。
【００７９】
そして、図５（ｃ）　（図１（ａ）の矢印Ｂ方向から見た側面図）、（ｄ）に示すように、アンカーボルトｕｂ、…をそれぞれの支持ベースプレートｔ１１ｐ、ｔ１１ｐ、ｔ１１ｐに挿通させ、支持基礎ｓｔ１１ａ、ｓｔ１１ｂ、ｓｔ１１ｃに設けられたアンカーナットｕｎ、…に螺着して、ブロックｋ１１を支持基礎ｓｔ１１ａ、ｓｔ１１ｂ、ｓｔ１１ｃに固定する。
【００８０】
続いて、ブロックｋ１１の支持ベースプレートｔ１１ｐ、ｔ１１ｐ、ｔ１１ｐに設置されたそれぞれのジャッキｔｊ１１、ｔｊ１１、ｔｊ１１を更に緩め、支持ベースプレートｔ１１ｐ、ｔ１１ｐ、ｔ１１ｐからジャッキｔｊ１１、ｔｊ１１、ｔｊ１１、ローラーｒ１１、ｒ１１、ｒ１１を取り外し、更にブロックｋ１１周辺のローラーガイドレールｒｇ１、および仮設梁ｋ１１ａ、ｋ１１ｂ等を解体する。
【００８１】
こうして、ブロックｋ１１、ｋ１２のブロックモジュールを設置したら、ブロックｋ１３に該当する構造物の梁や配管等の付属物を互いに接続し、一体化する。
【００８２】
次に、ブロックｋ８、ｋ９を、ブロックｋ１１、ｋ１２と同様な方法によって、支持基礎ｓｔ１ａ、ｓｔ１ｂ、ｓｔ１ｃ、支持基礎ｓｔ２ａ、ｓｔ２ｂ、ｓｔ２ｃ（図示せず）に仮固定し、ブロックモジュールを組み上げる。
【００８３】
そして、ブロックｋ８、ｋ９を、ブロックｋ１１、ｋ１２と同様な移動方法によって、ブロックｋ８、ｋ９が固定されるべき支持基礎まで移動し、該支持基礎に固定する。
【００８４】
そして、支持ベースプレートからジャッキ、ローラーとを取り外し、ブロックｋ８、ｋ９周辺のローラーガイドレールｒｇ１およびブロックｋ８、ｋ９における仮設梁等を解体する。
【００８５】
このようにして、ブロックｋ１１、ｋ１２のブロックモジュールに隣接するブロックｋ８、ｋ９のブロックモジュール（請求項２の固定されたブロックモジュール）を設置したら、ブロックｋ１０に該当する構造物の梁や配管等の付属物を組み立てて、互いに接続し一体化する。
【００８６】
次に、ブロックｋ５、ｋ６を、ブロックｋ１１、ｋ１２と同様な方法によって、支持基礎ｓｔ１ａ、ｓｔ１ｂ、ｓｔ１ｃ、支持基礎ｓｔ２ａ、ｓｔ２ｂ、ｓｔ２ｃ（図示せず）に仮固定し、ブロックモジュールを組み上げる。
【００８７】
そして、ブロックｋ５、ｋ６を、ブロックｋ１１、ｋ１２と同様な移動方法によって、ブロックｋ５、ｋ６が固定されるべき支持基礎まで移動し、該支持基礎に固定する。
【００８８】
そして、支持ベースプレートからジャッキとローラーとを取り外し、ブロックｋ５、ｋ６周辺のローラーガイドレールｒｇ１、およびブロックｋ５、ｋ６における仮設梁等を解体する。
【００８９】
こうして、ブロックｋ８、ｋ９のブロックモジュールに隣接するブロックｋ５、ｋ６のブロックモジュールを設置したら、ブロックｋ７に該当する構造物の梁や配管等の付属物を組み立てて互いに接続し一体化する。
【００９０】
同様な方法により、ブロックｋ２、ｋ３のブロックモジュールを組み上げ、所定の支持基礎上に固定し、それぞれ構造物の梁や配管等の付属物を互いに接続し一体化する。
【００９１】
続いて、端部のブロックｋ１のブロックモジュール（請求項１の所定のブロックモジュール）を、固定されるべき支持基礎ｓｔ１ａ、ｓｔ１ｂ、ｓｔ１ｃ上において、ブロックｋ１１と同様な方法によって組み立て、ブロックｋ１のブロックモジュールに隣接するブロックｋ２、ｋ３のブロックモジュール（請求項２の次前に固定され所定のブロックモジュールに隣接するブロックモジュール）に、構造物の梁や配管等の付属物を互いに接続し一体化する。
【００９２】
なお、ブロックｋ１のブロックモジュールの組み立てに際しては、ジャッキｔｊ１１、ローラーｒ１１および移動中の変位を防止するための仮設梁や仮設の支持部材等を設ける必要はない。
【００９３】
また、ブロックｋ１４〜ｋ２５は、ブロックｋ１〜ｋ１２と同様な方法により所定の支持基礎上に設置される。
【００９４】
ブロックｋ１４〜ｋ２５の建設に際しては、まず、中央部のブロックｋ１４、ｋ１５を、固定されるべき支持基礎に連続する端部のブロックｋ２４、ｋ２５のブロックモジュール（請求項１の所定のブロックモジュール）の支持基礎（請求項１の所定の支持基礎）上において、ブロックモジュールｋ１１、ｋ１２と同様な方法によりブロックモジュール（請求項１の組み立てられたブロックモジュール、請求項２の次前に固定された隣接するブロックモジュール）に組み上げ、続いて、図１（ｂ）に示すように、ウィンチにより固定されるべき所定の支持基礎までローラーガイドレール上を牽引した後、該支持基礎に固定する。
【００９５】
続いて、支持ベースプレートからジャッキとローラーとを取り外し、ブロックｋ１４、ｋ１５のブロックモジュール周辺のローラーガイドレールｒｇ１、およびブロックｋ１４、ｋ１５における仮設梁等を解体する。
【００９６】
こうして、ブロックｋ１４、ｋ１５のブロックモジュール（請求項１の組み立てられたブロックモジュール、請求項２の次前に固定された隣接するブロックモジュール）を設置したら、ブロックｋ１３に該当する構造物の梁や配管等の付属物を組み立て、固定されたｋ１１、ｋ１２のブロックモジュールと互いに接続し、一体化する。
【００９７】
次に、固定されたブロックｋ１４、ｋ１５のブロックモジュールに隣接して配置されるより端部側のブロックｋ１７、ｋ１８を、ブロックｋ１４、ｋ１５と同様に、端部のブロックｋ２４、２５の支持基礎上においてブロックモジュールに組み上げ、続いて、ウィンチにより固定されるべき所定の支持基礎までレール上を牽引した後、該支持基礎に固定する。
【００９８】
そして、支持ベースプレートからジャッキとローラーとを取り外し、周辺のローラーガイドレールｒｇ１、およびブロックｋ１７、ｋ１８における仮設梁等を解体する。
【００９９】
このようにして、ブロックｋ１４、ｋ１５のブロックモジュールに隣接するブロックｋ１７、ｋ１８のブロックモジュール（請求項２の固定されたブロックモジュール）を設置したら、ブロックｋ１６に該当する構造物の梁や配管等の付属物を組み立て互いに接続し一体化する。
【０１００】
同様にして、ブロックｋ２０、ｋ２１のブロックモジュール、ブロックｋ２３、ｋ２４のブロックモジュール（請求項２の次前に固定され所定のブロックモジュールに隣接するブロックモジュール）をそれぞれ順番に支持基礎に固定し、互いに、ブロックｋ１９、ｋ２２に該当する構造物の梁や配管等の付属物を組み立て、接続し一体化する。
【０１０１】
そして、端部のブロックｋ２５のブロックモジュール（所定のブロックモジュール）を当該端部の支持基礎上に組み上げ、ブロックｋ２３、ｋ２４のブロックモジュールと接続し一体化する。
【０１０２】
なお、本実施例においては、ブロックモジュールにローラーｒ１１を取り付け、該ローラーｒ１１をローラーガイドレールｒｇ１上で回動させることにより、ブロックモジュールをローラーガイドレールｒｇ１上で移動する構成としたが、ローラーｒ１１に代替してテフロン（登録商標）板をブロックモジュールの所定部に取り付け、同時にローラーガイドレール上にテフロン（登録商標）帯を取り付け、ブロックモジュールに設置したテフロン（登録商標）板をローラーガイドレール（テフロン（登録商標）帯を有するレール）のテフロン（登録商標）帯上で滑らすことにより、ブロックモジュールをローラーガイドレール上を移動させる構成としてもよい。
【０１０３】
上記構成によれば、ブロックを組み立てるための仮設基礎等の無駄が省け、また、仮基礎から本基礎へ移動するまでの、仮設スライド設備が省ける。
【０１０４】
また、最終組み立てがそのまま全体の完成となり、別途移動や接続の為の作業や関連するスケジュールが省ける。
【０１０５】
また、従来の組み立て作業を所定場所で繰り返すことになり生産性、安全性、品質が格段に向上する。
【０１０６】
それにより、組み立てスケジュールが緩和され、従来の無理、無駄が排除され、組み立てスケジュールの精度が大幅に改善し、施工のスピードアップが実現する。
【０１０７】
また、組み立て作業をパイプラック両端から同時に進めると大幅にスピードアップする。
【０１０８】
また、モジュールであっても、特殊或いは大型建設機械が不要で、低いコストでの組み立て、据付けが実現する。
【０１０９】
他方、作業場所を限定していることから、周辺作業との相互干渉は殆ど排除され、同時並行作業が可能となり、結果として施工タイミングの自由度は拡大する。
【０１１０】
また、モジュール構造であるが、現地組み立てであることから通常資材の輸送になり、輸送コストが押さえられる。
【０１１１】
なお、ブロックモジュールは同一構造体であるとし、また、すべての支持基礎は同一形状であるとすると、施工が容易であるとともに施工のスピードアップが図れる。
【０１１２】
なお、必ずしもブロックモジュールは同一構造体である必要もないし、また、すべての支持基礎は同一形状である必要もない。
【０１１３】
次に、構造物ｋの建設方法の第２実施例について説明する。
【０１１４】
第２実施例は、第１実施例における基礎連結梁を、支持基礎の列方向中央から側面に配置を変更したものである。
【０１１５】
図６（ｂ）　（図１（ａ）の矢印Ｂ方向から見た側面図）、（ｃ）に示すように、ブロックモジュールにおける支持ベースプレートの下面に固着したジャッキとローラーとを、各構造柱の奥方に設けた仮設梁ｋ１１ａの下面に取り付けている。
【０１１６】
図６（ａ）（（図１（ａ）の矢印Ａ方向から見た要部正面断面図））、（ｂ）、（ｃ）に示すように、支持基礎ｓｔ１ａを例にとると、支持基礎の列方向に沿って奥側に連結梁となるレール基礎ｓｒｂを配設しており、レール基礎ｓｒｂ上にはローラーガイドレール（レール）ｒｇ２を図１（ａ）のブロック列方向、すなわち構造物ｋのブロックモジュール移動方向に沿う態様で敷設する。
【０１１７】
これは、支持基礎構造の中央をローラーガイドレールが貫通することを排除して簡単にすることを意図したものであり、第１実施例と同様の手順で同様な効果が得られる。
【０１１８】
次に、構造物ｋの建設方法の第３実施例について説明する。
【０１１９】
第３実施例は、コンクリートの柱と梁で構成された構造物の上部に、第１実施例の如くブロックモジュールを組み立て、設置する方法を示している。
【０１２０】
図７（ａ）（（図１（ａ）の矢印Ａ方向から見た要部正面断面図））に示すように、ローラーガイドレールは、コンクリート構造物の柱と列方向の梁の上に設置される。
【０１２１】
図７（ｂ）　（図１（ａ）の矢印Ｂ方向から見た側面図）、（ｃ）に示すように、ブロックモジュールの列方向に設けた仮設梁ｋ１１ｂ、ｋ１２ｂ下面にジャッキとローラーを固着している。
【０１２２】
下部構造物の柱が支持基礎に相当し、および柱を連結するコンクリート構造梁が基礎連結梁ｓｒｂに相当する。
【０１２３】
柱ｓｔ１ａを例にとって説明すると、ローラーガイドレール（レール）ｒｇ３を、図１（ａ）の柱と連結梁を通して列方向、すなわち構造物ｋのブロックモジュール移動方向に沿う態様で敷設する。
【０１２４】
構造物全体が下部と上部に分けてコンクリートと鉄骨で構成される場合に、本建設方法を適用することを意図したものである。
【０１２５】
第１実施例と同様の手順で同様の効果が得られる。
【０１２６】
なお、上述の実施例においては、構造物の両端の支持基礎上でブロックモジュールの組み立て作業を行う構成としたが、構造物の一方端の支持基礎上でブロックモジュールの組み立て作業を行う構成としてもよい。
【０１２７】
また、ブロックモジュールの移動前の組み立ては、一対のブロックずつ行う構成を例示したが、２つのブロックに限定されず３つのブロックずつ組み立てる構成としてもよいし、ブロックモジュールの移動前のブロックの組み立て数は適宜、選択可能である。
【０１２８】
例えば、単一のブロックを複数（例えば３〜４ブロック）接続したものを独立構造物のユニット（移動ユニット）として設計し、付属物の支持、固定を該ユニットの中で最大限完結させることも可能である。
【０１２９】
この場合、上記ユニットの移動重量が増え、移動用の仮設部品の使いまわしに無駄がでるが、ユニットの完成度は一層高まり、ブロック移動後の接続作業は削減する。
【０１３０】
また、上述の実施例においては、構造物全体をブロックモジュールに分割して設計したが、構造物の一部をブロックモジュールに分割して設計してもよい。
【０１３１】
ところで、上述の実施例とは別の手順として、下記の方法がある。
【０１３２】
ブロックモジュールの組み立て、送りだしの場所を所定の支持基礎（請求項５の所定の支持基礎）上にして、単一または複数のブロックモジュール（１ブロック）を所定の支持基礎上で完成させた後に、隣接する支持基礎（請求項５の隣接する支持基礎）上に１ブロック分移動する。
【０１３３】
続いて、次の単一または複数のブロックモジュール（請求項５の隣接して配置されるブロックモジュール）を前記所定の支持基礎上で完成させて、完成したブロックモジュールと次前に移動された隣接するブロックモジュール（請求項５の移動されたブロックモジュール）とを接続して、既接続のブロックモジュール（請求項５の既接続されたブロックモジュール）を隣接する支持基礎上に１ブロック分移動する。
【０１３４】
さらに、次の単一または複数のブロックモジュールを前記所定の支持基礎上で完成させて、完成したブロックモジュールと隣接するブロックモジュールを接続して、既接続のブロックモジュール（請求項５の既接続されたブロックモジュール）を隣接する支持基礎上に１ブロック分移動するということを順次繰り返し行う。
【０１３５】
続いて、前記既接続されたブロックモジュールの各ブロックモジュールを該当する支持基礎にそれぞれ固定する。
【０１３６】
そして、最後に、前記所定の支持基礎上に所定の単一または複数のブロックモジュールを組み立て、該所定のブロックモジュールと次前に移動され固定された隣接するブロックモジュールを接続する。
【０１３７】
換言すれば、構造物の一部または全体が類似の構造物のブロックの集合体で構成される構造物の建設方法において、構造物のブロックを所定の構造物のブロックのための構造物の所定の支持基礎上に仮固定してブロックモジュールを組み立てる工程と、組み立てられたブロックモジュールを所定の支持基礎に隣接する支持基礎上まで移動する第１移動工程と、移動されたブロックモジュールに隣接して配置されるブロックモジュールを、構造物のブロックを所定の支持基礎上に仮固定して組み立てる工程と、組み立てられたブロックモジュールを移動されたブロックモジュールと接続し一体化する工程と、既接続されたブロックモジュールを所定の支持基礎に隣接する支持基礎上まで移動する第２移動工程と、所定の支持基礎上から移動されたブロックモジュールに隣接して配置されるブロックモジュールを、構造物のブロックを所定の支持基礎上に仮固定して組み立てる組み立て工程と、組み立てられたブロックモジュールを所定の支持基礎上から移動されたブロックモジュールと接続し一体化する接続工程と、第２移動工程と組み立て工程と接続工程とを繰り返す工程と、既接続されたブロックモジュールを所定の支持基礎に隣接する支持基礎上まで移動後、既接続されたブロックモジュールの各ブロックモジュールをそれぞれ対応する支持基礎に固定する工程と、所定の構造物のブロックを所定の支持基礎上で所定のブロックモジュールに組み立てる工程と、組み立てられた所定のブロックモジュールを隣接するブロックモジュールと接続し一体化する工程とを含むことを特徴とする構造物の建設方法である。
【０１３８】
この場合、組み立てられ接続されたほぼブロックモジュール全体に近いものを移動することになる。
【０１３９】
なお、組み立てられたブロックモジュールの移動方法は、上述の第１実施例〜第３実施例と同様に、設置したローラーガイドレール（レール）上をブロックモジュールに取り付けたローラーが転動することによりブロックモジュールを移動したり、または設置した上部にテフロン（登録商標）帯を有するローラーガイドレール（テフロン（登録商標）帯を有するレール）上をブロックモジュールに取り付けたテフロン（登録商標）板が滑動することによりブロックモジュールを移動する。
【０１４０】
上記方法によれば、移動荷重は大きくなるが、ブロックモジュール全体の完成度は高まる。
【０１４１】
また、接続されたブロックモジュールは順次送り出されてくるものの、ブロックモジュールの設置場所は所定期間、開いた状態であることから、周辺工事へのアクセスとして利用できる利点がある。
【０１４２】
なお、上述した実施例においては、ブロックモジュールを組み立てる支持基礎を端部の支持基礎としたが、中央部の支持基礎としてもよいし、端部と中央部との中間部の支持基礎としてもよいし、ブロックモジュールを組み立てる支持基礎の位置は、諸々の条件により任意に選択可能である。
【０１４３】
なお、上述した実施例においては、パイプラックの構造物を例示しているが、その他の構造物においても、本発明に関わる構造物の建設方法を有効に適用し得ることは言うまでもない。
【０１４４】
【発明の効果】
以上、詳述した如く、本発明の請求項１に関わる構造物の建設方法は、構造物のブロックを所定の構造物のブロックのための構造物の所定の支持基礎に仮固定してブロックモジュールを組み立てる工程と、組み立てられたブロックモジュールを固定されるべき支持基礎上まで移動する移動工程と、移動されたブロックモジュールを当該支持基礎に固定する固定工程と、所定の構造物のブロックを所定の支持基礎上で所定のブロックモジュールに組み立てる組み立て工程とを含むことを特徴としている。
【０１４５】
上記の構造物の建設方法によれば、組み立て作業を所定の支持基礎上で繰り返すことになり生産性、安全性、品質が向上する。
【０１４６】
また、所定のブロックモジュールの組み立てがそのまま全体の完成となり、組み立てスケジュールが緩和されるとともに組み立てスケジュールの精度が大幅に改善し、施工のスピードアップが実現する。
【０１４７】
本発明の請求項２に関わる構造物の建設方法は、固定工程後、固定されたブロックモジュールを、次前に固定された隣接するブロックモジュールが有る場合に該ブロックモジュールと接続し一体化する工程と、組み立て工程後、所定のブロックモジュールを次前に固定され隣接するブロックモジュールと接続し一体化する工程とを含むことを特徴としている。
【０１４８】
上記の構造物の建設方法によれば、隣接して配置されるブロックモジュール間で順次、接続が行われ、施工のスピードアップに寄与する。
【０１４９】
本発明の請求項３に関わる構造物の建設方法は、所定の支持基礎上および所定の支持基礎と支持基礎間を連結する基礎連結梁上および支持基礎上および支持基礎間を連結する基礎連結梁上に延在するレールを設け、組み立てられたブロックモジュールを、該ブロックモジュールに設置されたローラーをレール上で転動させることにより移動させることを特徴としている。
【０１５０】
上記の構造物の建設方法によれば、ブロックモジュールに設置されたローラーをレール上で転動させることによりブロックモジュールを移動するので、簡素な構成で円滑なブロックモジュールの移動が可能である。
【０１５１】
本発明の請求項４に関わる構造物の建設方法は、組み立てられたブロックモジュールを、該ブロックモジュールに設置されたテフロン（登録商標）板をレールのテフロン（登録商標）帯上で滑動させることにより移動させるので、簡素な構成で円滑なブロックモジュールの移動が可能である。
【０１５２】
本発明の請求項５に関わる構造物の建設方法は、所定の支持基礎上でブロックモジュールの組み立てを行い、続いて隣接するブロックモジュールと接続し一体化を行い、続いて既接続されたブロックモジュールを所定の支持基礎に隣接する支持基礎上に移動するという工程を順次、繰り返すので、ブロックモジュール全体の完成度が高まる。
【０１５３】
また、既接続されたブロックモジュールは順次送り出されてくるものの、ブロックモジュールの設置場所は所定期間、開いているので、有効活用が可能である。
【０１５４】
本発明の請求項６に関わる構造物の建設方法は、組み立てられたブロックモジュールを、該ブロックモジュールに設置されたローラーをレール上で転動させることにより移動させ、また、既接続されたブロックモジュールを、各ブロックモジュールに設置されたローラーをレール上で転動させることにより移動させるので、簡単な構成で円滑なブロックモジュールの移動が可能である。
【０１５５】
本発明の請求項７に関わる構造物の建設方法は、組み立てられたブロックモジュールを、該ブロックモジュールに設置されたテフロン（登録商標）板をレールのテフロン（登録商標）帯上で滑動させることにより移動させ、また、既接続されたブロックモジュールを、各ブロックモジュールに設置されたテフロン（登録商標）板をレールのテフロン（登録商標）帯上で滑動させることにより移動させるので、簡単な構成で円滑なブロックモジュールの移動が可能である。
【０１５６】
本発明の請求項８に関わる構造物の建設方法によれば、ブロックモジュールは、同一若しくは近似の構造体であるので、施工が容易であるとともに施工のスピードアップが図れる。
【０１５７】
本発明の請求項９に関わる構造物の建設方法は、所定の支持基礎と支持基礎とは、同一形状であるので、施工が容易であるとともに施工のスピードアップが図れる。
【図面の簡単な説明】
【図１】（ａ）および（ｂ）は、本発明に関わる実施例の構造物を示す概念的上面図、および該構造物のブロックモジュールの移動作業を示す概念的上面図。
【図２】（ａ）、（ｂ）は、本発明に関わる実施例の構造物の低い高さの支持基礎に固定するブロックｋ１１を所定の支持基礎上に組み立て後の態様を示す概念的正面図、ブロックｋ１１を固定されるべき支持基礎上まで移動し支持基礎上に固定した態様を示す概念的正面図。
【図３】（ａ）、（ｂ）は、本発明に関わる実施例の構造物の高い高さの支持基礎に固定するブロックｋ１１をブロックモジュールに組み立て後、固定されるべき支持基礎上まで移動した状態を示す概念的正面図、および構造物におけるブロックｋ１１のブロックモジュールを支持基礎上に固定した態様を示す概念的正面図。
【図４】（ａ）、（ｂ）、（ｃ）、（ｄ）、および（ｅ）は、本発明に関わる第１実施例の構造物の支持基礎を地面へ設置した状態を示す側面図、（ａ）図のＡ−Ａ線断面図、該支持基礎に構造柱を仮固定した状態を示す側面図、ブロックｋ１１およびブロックｋ１２を固定されるべき支持基礎上への移動過程を示す側面図、および（ｄ）図のＤ−Ｄ線断面図。
【図５】（ａ）、（ｂ）、（ｃ）、および（ｄ）は、本発明に関わる第１実施例のブロックｋ１１の構造柱を固定すべき支持基礎上まで移動した状態を示す側面図、当該構造柱を該支持基礎上へ降ろす過程を示す側面図、当該構造柱を該支持基礎に固定した状態を示す側面図、および（ｃ）図のＣ−Ｃ線断面図。
【図６】（ａ）、（ｂ）、および（ｃ）は、本発明に関わる第２実施例の構造物の支持基礎を地面へ設置した状態を示す要部正面断面図、ブロックｋ１１を固定されるべき支持基礎上への移動過程を示す側面図、および（ｂ）図のＢ−Ｂ線断面図。
【図７】（ａ）、（ｂ）、および（ｃ）は、本発明に関わる第３実施例の高さの高い構造物の支持基礎を示す要部正面断面図、ブロックｋ１１を固定されるべき支持基礎上への移動過程を示す側面図、および（ｂ）図のＢ−Ｂ線断面図。
【符号の説明】
ｋ…構造物、
ｋ１、ｋ２、…、ｋ２５…ブロック、
ｋ１、ｋ２、ｋ２４、ｋ２５…ブロック（請求項１の所定の構造物のブロック）、
ｒ１１、ｒ１２、ｒ１３…ローラー、
ｒｇ１、ｒｇ２、ｒｇ３…ローラーガイドレール（レール）、
ｓｒｂ…基礎連結梁、
ｓｔ１ａ（ｓｔｎａ）、ｓｔ１ｂ、ｓｔ１ｃ、…、ｓｔ２５ａ（ｓｔｎａ）、ｓｔ２５ｂ、ｓｔ２５ｃ…支持基礎（なお、ｓｔｎａにおけるｎは１〜２５の何れかであり、ｓｔｎａはｓｔ１ａ〜ｓｔ２５ａの何れかを示す）、
ｓｔ１ａ、ｓｔ１ｂ、ｓｔ１ｃ、ｓｔ２ａ、ｓｔ２ｂ、ｓｔ２ｃ…支持基礎（請求項１の所定の支持基礎）、
ｓｔ１１ａ、ｓｔ１１ｂ、ｓｔ１１ｃ、ｓｔ１２ａ、ｓｔ１２ｂ、ｓｔ１２ｃ…支持基礎（請求項１の固定されるべき支持基礎）。
【図１】
2004076264.tif 000003
【図２】
2004076264.tif 000004
【図３】
2004076264.tif 000005
【図４】
2004076264.tif 000006
【図５】
2004076264.tif 000007
【図６】
2004076264.tif 000008
【図７】
2004076264.tif 000009